(57)【要約】      （修正有）【課題】乗り手及び／または動物をけがから保護するために、平らな形態に至るまで自動的に引込むように、適合された鐙を提供する。【解決手段】乗用動物に当接するようになっている第１部分２と、乗り手の片足を支持するようになっている第２部分４と、を備えた鐙１であり、安全鐙は、開形態から閉形態に向けて当該安全鐙を付勢するようになっている付勢手段６を、更に備え、開形態においては、鐙が前動物から外側に突出する程度が低減されており、乗り手の片足が第２部分から外される時に、第２部分が自動的に閉形態に移動するようになっている。【選択図】図１
2015093203.tif 000002
【特許請求の範囲】
【請求項１】
鐙（１）であって、
乗用の動物に当接するようになっている第１部分（２）と、
使用時に、乗り手の片足を支持するようになっている第２部分（４）と、
前記第２部分が使用時に前記乗り手の片足を支持するのに好適であるように前記乗用の動物から外側に突出するように位置付けられる開形態から、前記第２部分が前記乗り手の片足を支持するのに好適ではないように位置付けられる閉形態に向けて、当該安全鐙（１）を付勢するようになっている付勢手段（６）と、
を備え、
前記開形態においては、当該鐙が前記動物から外側に突出する程度が低減されており、
乗り手の片足が前記第２部分から外される時に、当該第２部分が自動的に前記閉形態に移動するようになっている
ことを特徴とする鐙（１）。
【請求項２】
使用時に、前記安全鐙が開形態である時には、前記第２部分は、実質的に水平である長手軸を有する前記乗り手の片足のための支持表面を提供するように、位置付けられている
ことを特徴とする請求項１に記載の鐙。
【請求項３】
前記開形態である時に、前記第１部分と前記第２部分との間に形成されている角度は、６０°よりも大きい
ことを特徴とする請求項１または２に記載の鐙。
【請求項４】
前記開形態である時に、前記第１部分と前記第２部分との間に形成されている角度は、９０°から１２０°の範囲内にある
ことを特徴とする請求項３に記載の鐙。
【請求項５】
前記閉形態である時に、前記第１部分と前記第２部分との間に形成されている角度は、６０°よりも小さい
ことを特徴とする請求項１乃至４のいずれかに記載の鐙。
【請求項６】
前記閉形態である時に、前記第２部分（４）は、前記第１部分（２）と実質的に平行である、あるいは、前記第１部分（２）と実質的に同一の平面内にある
ことを特徴とする請求項５に記載の鐙（１）。
【請求項７】
前記付勢手段（６）は、コイルバネを有している
ことを特徴とする請求項１乃至６のいずれかに記載の鐙（１）。
【請求項８】
前記第２部分（４）は、当該安全鐙（１）を前記閉形態から前記開形態まで移動させる際にユーザを支援するためのフランジ（１２）を、更に有している
ことを特徴とする請求項１乃至７のいずれかに記載の鐙（１）。
【請求項９】
当該安全鐙を馬具（horse tack）（１６）に取り付けるための取付部材（８）
を更に備えたことを特徴とする請求項１乃至８のいずれかに記載の鐙（１）。
【請求項１０】
前記乗用の動物から離れる方向における当該安全鐙（１）の移動を制限するべく、当該安全鐙（１）を前記動物の下を通過するストラップ（１５）に取り付けるためのストラップ取付部材（９）
を更に備えたことを特徴とする請求項１乃至９のいずれかに記載の鐙。
【請求項１１】
前記第２部分（４）は、前記乗り手の片足と当該乗り手の片足を支持する当該第２部分（４）の表面との間のグリップを、支援するようになっている
ことを特徴とする請求項１乃至１０のいずれかに記載の鐙（１）。
【請求項１２】
安全鐙（１）であって、
乗用の動物に当接するようになっている第１部分（２）と、
乗り手の片足を支持するようになっている第２部分（４）と、
開形態から閉形態に向けて、当該安全鐙（１）を付勢するようになっている付勢手段（６）と、
を備え、
前記付勢手段は、前記第１部分と前記第２部分との間に形成される角度を減少させることによって、当該安全鐙を開形態から閉形態に移動させるようになっている
ことを特徴とする安全鐙（１）。
【請求項１３】
添付の図面を参照して、ここにおいて、実質的に前述されているような鐙（１）。
【発明の詳細な説明】
【技術分野】
【０００１】
本発明は、動物に跨がるまたは乗るために使用される鐙に関する。
【背景技術】
【０００２】
従来の鐙は、弧状部（arc）に取付られており、乗り手の片足を載せるための、平坦なプラットフォームを有している。当該弧状部は、プラットホームの一端部から、ループを形成している他端部まで、延在している。更に、鐙は、鞍に当該鐙を取り付けるための手段を、提供し得る。従来の鐙は、鞍に対して自由に移動するように、当該鞍に取り付けられている。
【発明の概要】
【０００３】
本発明の第１の特徴によれば、鐙であって、乗用の動物に当接するようになっている第１部分と、乗り手の片足を支持するようになっている第２部分と、当該第２部分が乗り手の片足を支持するのに好適であるように位置付けられる開形態から、当該第２部分が乗り手の片足を支持するのに好適ではないように位置付けられる閉形態に向けて、当該安全鐙を付勢するようになっている付勢手段と、を備えた鐙が提供される。
【０００４】
第２部分は、使用時に乗り手の片足を支持するのに好適であるように、乗用の動物から外側に突出するように位置付けられ得る。また、閉形態において、第２部分は、乗り手の片足を支持するのに好適ではないように位置付けられ得て、及び、鐙が動物から外側に突出する程度が低減されており、乗り手の片足が当該第２部分から外される時に、当該第２部分が自動的に当該閉形態に移動するようになっている。
【０００５】
使用時に、乗り手は、鐙を開形態に維持している第２部分に下向きの力を及ぼし得て、及び、乗り手が（例えば動物から落下することに起因して）第１部分に下向きの力を及ぼすことをやめる時には、安全鐙は、当該鐙を開形態から閉形態に移動させるように働く付勢手段によって自動的に閉じることができる。乗り手がいない状態での鐙の閉形態への自動的な復帰は、動物の外側方向における鐙の突出部が低減され得て、例えば、乗り手が動物に跨がっている時に当該動物が不規則に動くという事例において、または、乗り手が当該動物から落下するという事例において、生じ得る乗り手へのけがの可能性を最小化する、という点で有利であり得る。別の言い方をすれば、本発明の一実施の形態の鐙は、乗り手及び／または動物をけがから保護するために、平らな形態に至るまで自動的に引込むように、適合され得る。従って、一実施の形態は、安全鐙と呼ばれ得る。
【０００６】
本発明の更なる発展が、従属請求項の主題である。
【０００７】
実施の形態は、従って、動物の脇腹に当接するように設計されている鐙、及び、乗り手の片足が当該プラットフォームによって支持されている時にのみ外側に突出しているプラットフォームを、提供する。乗り手の片足が鐙によって支持されていない（プラットフォームから外されている）時には、当該プラットフォームは、鐙が動物から外側に突出している程度が低減されるように、動物の脇腹に向かって自動的に引込むようになっている。換言すれば、一実施の形態の鐙は、乗り手の片足を支持するのに好適な第１の厚さまたは水平方向の大きさを有する第１（開）形態から、当該乗り手の片足を支持するのに好適ではない第２の厚さまたは水平方向の大きさを有する第２（閉）形態まで、自動的に移動するようになっている。鐙は、乗り手の片足によるプラットフォームへの力の適用によって、それが第１（開）形態で維持されるように、設計され得る。当該適用される力は、鐙を第２（閉）形態に移動させようとする力に打ち勝つ。
【０００８】
一実施の形態によれば、鐙が開位置にある時、第１部分は、動物が支持されている地面と実質的に平行（例えば、実質的に水平）であり得る。
【０００９】
一実施の形態によれば、鐙が閉位置にある時、第２部分は、第１部分と平行であり得る、あるいは、第１部分と同一の平面内にあり得る。
【００１０】
付勢手段は、コイルバネを有し得る。バネ懸架式（spring-loaded）の鐙を提供するような一実施の形態が考慮され得て、鐙のプラットフォームは、（例えば乗り手の片足によって）把持力が当該プラットフォームに適用されていない時に、バネの動きによって（乗り手の片足を支持するようには配置されていない）閉形態まで、自動的に移動するようになっている。
【００１１】
第２部分は、安全鐙を閉位置から開位置まで移動させる際にユーザを支援するためのフランジを、更に有し得る。これは、鐙の位置を変更するために、第２部分に力を及ぼしている間に、ユーザを支援する。
【００１２】
鐙（安全鐙）は、当該安全鐙を馬具に取り付けるための取付部材を、更に備えている。これは、ユーザが馬具の組立品に安全鐙を取り付けることを、許容し得る。
【００１３】
鐙は、乗用の動物から離れる方向における当該安全鐙の移動を制限するべく、当該安全鐙を当該動物の下を通過するストラップに取り付けるためのストラップ取付部材を、更に備えている。これは、安全鐙が乗用の動物の外側に移動することの自由度を制限するように働き、当該安全鐙が動物の体から振り離され得ない、という利点を提供する。安全鐙が動物の体から振り離されることは、ユーザのけがに帰結し得る。
【００１４】
第２部分は、乗り手の片足と当該乗り手の片足を支持する当該第２部分（４）の表面との間のグリップを支援するように、適合され得る。これは、乗り手の片足と当該乗り手の片足に接触している表面との間の付着力を助長するように働き得る。
【００１５】
本発明の一実施の形態によれば、添付の図面を参照して、ここにおいて、実質的に前述されているような鐙がある。
【図面の簡単な説明】
【００１６】
今、本発明の一例が、添付の図面を参照して説明される。
【図１】本発明の鐙の斜視図であり、安全鐙は、開位置の状態である。
【図２】開位置における図１の鐙の側面図である。
【図３】閉位置における図１の鐙を示している。
【発明を実施するための形態】
【００１７】
図１を参照すると、本発明に従った安全鐙１が示されており、当該安全鐙は、開位置の状態である。安全鐙１は、第１部分２と、当該第１部分２に実質的に垂直に位置付けられている第２部分４と、を有しており、これにより開位置を規定している。当該開位置において、第２部分４は、乗り手の片足を支持するためのプラットフォームを提供するようになっている。
【００１８】
付勢手段６は、第２部分４を閉位置（図３に示されている）に向けて付勢するように働き、当該閉位置において、第１部分２と第２部分４との間の角度は、安全鐙１が乗り手の片足を支持するのに好適ではないようなものである。
【００１９】
第１部分２には、安全鐙１を馬具１６の組立品に組み入れるための取付部材８が、設けられている。第２部分４の内側表面は、乗り手の片足と当該乗り手の片足を支持する当該第２部分４との間で、グリップを提供するようになっている。
【００２０】
また、乗り手の片足が第２部分の遠位端から滑落することを防止するために、ストッパフランジ１８が当該第２部分４の当該遠位端に設けられている。ストッパフランジ１８は、従って、第１部分２から離れての片足の水平方向の移動を制限するための、片足のストッパとして働くようになっており、これにより、乗り手の片足が第２部分４から滑落することを防止するように支援する。
【００２１】
使用時に、安全鐙１は、図２に示されているような取付部材８を介して、馬具１６の構成部品として追加される。ストラップ取付部材９が、乗用の動物の下を通過しているストラップ１５に安全鐙１を取り付けるために、使用される。フランジ１２は、（当該フランジ１２を用いて第２部分の端部を第１部分２から引き離すことによって）安全鐙１を閉位置から開位置まで移動させるために、使用され得る。安全鐙１が開位置にある時、乗り手の片足は、第２部分４上に位置付けられており、当該鐙を開位置で維持するために、当該第２部分に下向きに力を適用する。
【００２２】
付勢部材６は、乗り手の片足がもはや第２部分４に下向きの力を及ぼしていない時に当該第２部分４が第１部分２に向かって移動するように、当該第２部分４が実質的に当該第１部分２に対して垂直である開位置から、閉位置（図３に示されている）に向けて、第２部分４を付勢している。従って、乗り手が第２部分４上に力を及ぼすことをやめた時には、安全鐙１は、自動的に閉鎖する。このようにして、乗り手の片足が、鐙に巻き込まれることが防止される。更に、安全鐙１の自動閉鎖は、第２部分４が動物の外方に突出する程度を低減させ、これによって、当該鐙が乗り手にぶつかること、及び／または、偶発的なけがをもたらすこと、のリスクを減少させるように支援する。
【００２３】
図３は、閉位置における安全鐙を示している。閉位置において、第１部分２と第２部分４との間の角度は、当該第２部分２が乗り手の片足を支持するために好適ではないようなものである。これにより、閉位置にある時に第１部分と第２部分との間に規定されている角度は、ゼロ度（０°）から６０°、好ましくはゼロ度（０°）から３０°、より好ましくは１０°未満、及び、一層好ましくは実質的にゼロ度（０°）、の範囲内にあり得る、ということが理解されるであろう。換言すれば、安全鐙は、閉位置にある時、第１部分２及び第２部分４が実質的に平行である、または、同一の平面内にあるように（例えば、第１部分２と第２部分４との間の角度がゼロ度であるように）、適合され得る。そのような一実施の形態では、閉位置にある時、第２部分４は、第１部分２と同一の平面にあり得る。更に、第２部分４にはフランジ１２が設けられており、ユーザが当該第２部分４を把持すること、及び、安全鐙１を閉位置から開位置まで移動させること、を支援するようになっている。
【００２４】
安全鐙１の第１部分２及び第２部分４は、形状が矩形であることに限定されず、例えばそれらは半円形であり得る、ということが理解されるであろう。更に、第１部分２は、第２部分４とは異なる形状であり得る。
【００２５】
更に、前述の実施の形態は、使用時に、第１部分が実質的に鉛直であり、及び、第２部分が水平位置（開形態の状態）から鉛直位置（閉形態の状態）に向けて付勢されるように、実質的に鉛直な脇腹を有する動物という状況において説明されている、ということが理解されるであろう。
【００２６】
他の実施の形態は、鉛直ではない（しかし、例えば湾曲している）動物の脇腹に当接して使用されるように、適合され得る。そのような状況では、鐙は、開形態にある時に第１部分と第２部分との間に形成される角度が、９０°よりも大きいように、適合され得る。例えば、鐙が、使用時に、第１部分が鉛直から３０°の角度で設置されるように動物の脇腹に位置付けられる、という状況に対して、水平方向に広がるために（及び、これにより乗り手の片足のために水平方向の支持を提供するために）、第２部分は、開形態にある時に当該第１部分と約１２０°の角度を形成するように、適合され得る。このようにして、実施の形態は、開形態の時に第１部分と第２部分との間に形成される角度が、ライディング（riding）の応用、立ち上がりのスタイル、及び／または、乗用の動物上の使用中の位置、を提供するようになっており、並びに、乗り手の片足のための実質的に水平な支持表面を提供するようになっている、というように設計され得る。付勢手段は、このようにして、第１部分と第２部分との間に形成される角度を減少させるように働くことによって、開形態から閉形態まで鐙を移動させるように適合され得る。
【図１】
2015093203.tif 000003
【図２】
2015093203.tif 000004
【図３】
2015093203.tif 000005
【外国語明細書】
2015093203000001.pdf